(57)【要約】【課題】本発明は、利用者がアルコールを摂取している間に、アルコールを飲みつづけている状態を検出し、一定周期に擬似着信動作を起動することにより、利用者の自主性を期待しなくても、アルコール濃度と摂取時刻を自動記録し、体内アルコール濃度の時系列の履歴を収集する。【解決手段】本発明の携帯電話端末は、アルコール飲料の容器に添付されたＲＦＩＤタグを検出するＲＦＩＤ検出部と、前記ＲＦＩＤ検出部の出力に応じて、疑似着信動作を起動する疑似着信動作部と、前記疑似着信動作に応答した利用者の呼気又は汗からアルコール濃度を測定するアルコール濃度測定部と、前記アルコール濃度が所定値まで低下する予測時刻を決定するアルコール濃度低下予測時刻決定部と、前記アルコール濃度低下予測時刻を出力する出力部と、を有する。【選択図】図２
2010074550.tif 000002
【特許請求の範囲】
【請求項１】
携帯電話端末であって、
アルコール飲料の容器に添付されたＲＦＩＤタグを検出するＲＦＩＤ検出部と、
前記ＲＦＩＤ検出部の出力に応じて、疑似着信動作を起動する疑似着信動作部と、
前記疑似着信動作に応答した利用者の呼気又は汗からアルコール濃度を測定するアルコール濃度測定部と、
前記アルコール濃度が所定値まで低下する予測時刻を決定するアルコール濃度低下予測時刻決定部と、
前記アルコール濃度低下予測時刻を出力する出力部と、を有する携帯電話端末。
【請求項２】
携帯電話端末であって、
周囲の騒音レベルを検出するマイクと、
利用者の歩数を計数する歩数センサーと、
前記マイク及び前記歩数センサーの出力に基づき、所定時間より長い間、前記騒音レベルが所定値より高く且つ前記歩数の増加速度が所定値より小さい場合、疑似着信動作を起動する疑似着信動作部と、
前記疑似着信動作に応答した利用者の呼気又は汗からアルコール濃度を測定するアルコール濃度測定部と、
前記アルコール濃度が所定値まで低下する予測時刻を決定するアルコール濃度低下時刻決定部と、
前記アルコール濃度低下予測時刻を出力する出力部と、を有する携帯電話端末。
【発明の詳細な説明】
【技術分野】
【０００１】
本発明は、携帯電話端末に関し、より詳細には利用者の健康管理を支援する携帯電話端末に関する。
【背景技術】
【０００２】
消費者の健康に対する関心の高まりに応えるため、手軽に呼気中又は血中アルコール濃度を測定できる携帯型アルコールチェッカが市販されている。携帯型アルコールチェッカは、半導体ガスセンサーを内蔵しており、利用者が呼気を吹きかけると呼気中のアルコール濃度を測定し表示するか、更に血中アルコール濃度に換算して表示することにより、利用者の健康管理や飲酒運転の防止に役立っている。このような携帯型アルコールチェッカには、例えばタニタ社のＨＣ−２０６、ＨＣ−２０８等がある。
【０００３】
また、ガス以外にも、手の汗に含まれるエチルアルコールを感知する感応膜センサーを用いて、血中アルコール濃度を測定し、その濃度が一定以上の場合は車の運行を抑止する方式が考案されている。
【０００４】
また、携帯電話端末にアルコールセンサーを付け、運転者が息を吹きかけることにより、自動的にメールでアルコール濃度をセンターに送信する方式が考案されていた。
【０００５】
また、アルコール検知機能付き携帯電話端末として、マイクの部分にアルコールセンサーを追加して、アルコール濃度をメールにより送信する方式が考案されていた。
【特許文献１】特開２００５−２２４３１９号公報
【特許文献２】特開２００５−１２２６７３号公報
【特許文献３】特開２００１−３１３６９６号公報
【発明の開示】
【発明が解決しようとする課題】
【０００６】
上述の従来のアルコール濃度測定方式は、アルコールを飲んでいる本人が自主的にアルコール濃度を測定することが条件となっているため、アルコールを飲んでいる状態で、自主的に測定しなければならないという運用方式に問題があった。
【０００７】
従って本発明の目的は、利用者がアルコールを摂取している間に、アルコールを飲みつづけている状態を検出し、一定周期に擬似着信動作を起動することにより、利用者の自主性を期待しなくても、アルコール濃度と摂取時刻を自動記録し、体内アルコール濃度の時系列の履歴を収集する携帯電話端末を提供することである。
【課題を解決するための手段】
【０００８】
本発明は携帯電話端末を提供する。当該携帯電話端末は、アルコール飲料の容器に添付されたＲＦＩＤタグを検出するＲＦＩＤ検出部と、前記ＲＦＩＤ検出部の出力に応じて、疑似着信動作を起動する疑似着信動作部と、前記疑似着信動作に応答した利用者の呼気又は汗からアルコール濃度を測定するアルコール濃度測定部と、前記アルコール濃度が所定値まで低下する予測時刻を決定するアルコール濃度低下予測時刻決定部と、前記アルコール濃度低下予測時刻を出力する出力部と、を有する。
【発明の効果】
【０００９】
本発明によると、利用者がアルコールを摂取している間に、アルコールを飲みつづけている状態を検出し、擬似着信動作を起動することにより、利用者の自主性を期待しなくても、アルコール濃度と摂取時刻を自動記録し履歴を収集することができる。
【発明を実施するための最良の形態】
【００１０】
図１は本発明が実施される場合を説明する概略図である。
【００１１】
本発明は、ＲＦＩＤタグの検出により（１０）、周囲の騒音及び利用者の歩数を検出することにより（２０）、又は携帯電話端末に記憶されたスケジュール帳の内容により（３０）、利用者がアルコールを摂取し続けている状態を自動的に検出すると、携帯電話端末１００に疑似着信動作を起動させる。利用者が当該疑似着信動作に応答すると、例えば音声により「飲み過ぎないでね」などのトーキ５０を流すことにより、利用者の応答を促し、それにより利用者の呼気若しくは汗から体内アルコール濃度を測定する。携帯電話端末１００は、測定した体内アルコール濃度に基づき、体内アルコール濃度が低下する予測時刻を決定し、体内アルコール濃度、予測時刻、及び測定時刻を記録する。この測定、決定、及び記録は、利用者がアルコールを摂取し続けていることが検出される間、繰り返される。場合によっては、携帯電話端末１００はネットワーク６０を通じ、記録した内容を所定の宛先へメールで送信してもよい。所定の宛先は、例えば自宅７０にあるＰＣ又は家族の携帯電話又は勤務先８０の所定のメールアドレス、メールを受信可能なＦＡＸのアドレスのうちの１又は複数であってよい。以下に各実施例について詳細に記載する。
【００１２】
［実施例１］
実施例１は、図１のＲＦＩＤタグの検出により（１０）利用者がアルコールを摂取し続けている状態を自動的に検出する場合である。本発明の実施例１に用いられる携帯電話端末１００のブロック図は図２に示される。携帯電話端末１００は、ＲＦＩＤ（Ｒａｄｉｏ  Ｆｒｅｑｕｅｎｃｙ  ＩＤｅｎｔｉｆｉｃａｔｉｏｎ）タグを検出するＲＦＩＤ検出部１１２、ＲＦＩＤ検出部１１２の出力に応じて、疑似着信動作を起動する疑似着信動作部１３０、疑似着信動作に応答した利用者の呼気又は汗から呼気中又は血中に含まれるアルコール濃度を測定するアルコール濃度測定部１２０、測定されたアルコール濃度が所定値まで低下する予測時刻を決定するアルコール濃度低下予測時刻決定部１４０、アルコール濃度低下予測時刻を出力する出力部１５０、を有する。携帯電話端末１００は、アルコール濃度、アルコール濃度低下予測時刻、及び測定時刻を記録する記録部１６０、を更に有する。また、携帯電話端末１００は携帯電話端末１００の動作を制御する中央演算処理装置（ＣＰＵ）１７０、及びＣＰＵ１７０によりアクセスされるメモリー１８０を更に有する。
【００１３】
ＲＦＩＤ検出部１１２は、所定の電波強度より強い電波を受信するとＲＦＩＤタグが近くに存在すると認識する。例えば所定の電波強度が１ｍ離れたＲＦＩＤタグから受信される電波強度に対応した値に設定される場合、ＲＦＩＤ検出部１１２はＲＦＩＤタグが１ｍ以内の距離に存在すると認識する。
【００１４】
ＲＦＩＤタグのコード体系は、国際標準化機構（ＩＳＯ）によるＩＳＯ／ＩＥＣ１５４５９シリーズに規定されている。その他にもＥＰＣ（Ｅｌｅｃｔｒｏｎｉｃ  Ｐｒｏｕｄｃｔ  Ｃｏｄｅ）の普及を推進する団体であるＥＰＣｇｌｏｂａｌ、Ａｕｔｏ−ＩＤラボ等がＲＦＩＤのコード体系を提案している。これらのＲＦＩＤコードは品目コード又は商品アイテムコードのような商品を識別するためのコードを含むので、ＲＦＩＤ検出部１１２は、このようなコードを読み取ることによりＲＦＩＤタグがアルコール飲料商品に付されたものか否かを判断することができる。当該判断を行うために、ＲＦＩＤ検出部１１２は、当該読み取ったＲＦＩＤコードが自身に予め記憶されていたアルコール飲料商品の商品コードのリスト又は携帯電話端末１００のメモリー１８０に予め格納されたアルコール飲料商品の商品コードのリストに存在するか否かを調べてよい。
【００１５】
通常、飲食店等ではアルコール飲料が客である利用者の近くへ運ばれ、飲み終わると下げられる。これを検出するため、ＲＦＩＤ検出部１１２は、ＲＦＩＤコードに含まれる商品のシリアル番号を更に読み取り、同一シリアル番号が一定時間より長く検出され続けた後に検出されなくなると、疑似着信動作部１３０へ疑似着信動作指示を送信する。代案として、疑似着信動作指示の送信は同一シリアル番号が一定時間より長く検出され続けたときに行われてもよい。更に別の代案では、疑似着信動作指示の送信は同一シリアル番号が一定時間より長く検出され続けた後、一定時間毎に周期的に行われてもよい。或いはシリアル番号に無関係に同一の若しくは異なるアルコール飲料商品の商品コードが一定時間より長く検出されたとき、その後に検出されなくなったとき、又は一定時間毎に周期的に行われてもよい。その他にも疑似着信動作指示を送信する種々の条件が考えられるだろう。
【００１６】
疑似着信動作部１３０は、ＲＦＩＤ検出部１１２から疑似着信動作指示を受信すると、疑似着信動作を起動する。疑似着信動作は、実際に通話又はメールを着信していないが、実際の通話又はメールを着信した場合と同様の動作、つまり鳴動する動作である。この疑似着信動作が例えば「飲み過ぎないでね」、「アルコール濃度を測定して下さい」のような携帯電話端末１００に予め登録された音声によるトーキである場合、利用者に携帯電話端末１００に対して音声で応答することを促す。当該トーキは利用者自身若しくは家族の音声、その他如何なる予め登録された音声であってもよい。或いは疑似着信動作は例えば「飲み過ぎないでね」のようなメールによるメッセージの形式若しくはアラーム機能に疑似した単なる画面表示であってもよい。当該メッセージ若しくは画面表示は利用者により予め作成されるか、又は如何なる予め作成されたメッセージ若しくは画面表示であってもよい。このようなトーキ、メッセージ、又は画面表示は、疑似着信動作が周期的に行われる場合には、何れか１つの形式をとってもよいし、複数の形式を選択してもよい。例えば疑似着信動作部１３０がＲＦＩＤ検出部１１２から疑似着信動作指示を受信した場合、疑似着信動作は何回目かに拘わらず音声によるトーキの形式であってよい。また別の例では、１回目の疑似着信動作はアラーム機能に疑似した画面表示、２回目から５回目まではメール形式で、更に６回目以降は音声によるトーキの形式であってよい。
【００１７】
利用者が音声によるトーキの疑似着信動作に応答すると、つまり携帯電話端末１００に音声で応答すると、アルコール濃度測定部１２０は利用者の呼気中のアルコール濃度を測定する。利用者がメール形式の疑似着信動作又は疑似アラーム機能に応答すると、つまり携帯電話端末１００に組み込まれたアルコール濃度測定部に触れると、アルコール濃度測定部１２０は利用者の汗中のアルコール濃度を測定する。単一の形式のみに対応する場合にはアルコール濃度測定部１２０は呼気又は汗中アルコール濃度の一方のみを測定できればよい。前述のような異なる形式の疑似着信動作を用いる場合には、アルコール濃度測定部１２０は呼気又は汗中アルコール濃度の両方を測定するよう２種類のセンサーを備えなければならない。また２種類のセンサーを備える場合には、測定データの種類を統一するため、アルコール濃度測定部１２０は呼気又は汗中アルコール濃度を血中アルコール濃度に換算することが望ましい。アルコール濃度測定部１２０は、測定したアルコール濃度及びその測定時刻をアルコール濃度低下予測時刻決定部１４０へ送信する。
【００１８】
アルコール濃度低下予測時刻決定部１４０は、アルコール濃度測定部１２０から受信した呼気、汗中又は血中アルコール濃度に基づき、当該アルコール濃度が所定値まで低下するアルコール濃度低下予測時刻を決定する。当該決定は、適切な計算式に従い算出されるか、携帯電話端末１００のメモリー１８０に予め格納されたアルコール濃度とアルコール濃度低下予測時刻との対応テーブルから読み出されることにより行われてよい。当該所定値は、飲酒運転の有無の判断基準値、又は健康を維持するために医師から指示された値、又は酔いのレベルに応じた適切な値であってもよい。アルコール濃度低下予測時刻決定部１４０は、受信した呼気、汗中又は血中アルコール濃度、決定したアルコール濃度低下予測時刻、及び測定時刻を、出力部１５０及び記録部１６０へ更に送信してよい。アルコール濃度低下予測時刻決定部１４０は、測定時刻の代わりに自身が決定を行った時刻である決定時刻を用いてもよい。
【００１９】
出力部１５０は、アルコール濃度低下予測時刻決定部１４０から受信したアルコール濃度及びアルコール濃度低下予測時刻、若しくはこれらの両方、又はこれらに加えて測定時刻を携帯電話端末１００の画面（図示されない）に表示するか、所定の宛先へメールで通知するか、又はこれらの両方を行ってもよい。所定の宛先は、図１に示されたように自宅７０にあるＰＣ又は家族の携帯電話又は勤務先８０の所定のメールアドレス、メールを受信可能なＦＡＸのアドレスのうちの１又は複数であってよい。例えば、利用者が自分の健康管理のために後にデータを集計した場合には、出力部１５０は上述のデータを自宅のＰＣ宛にメールで送信することが望ましい。利用者の家族が利用者の健康を管理する場合には、出力部１５０は上述のデータを家族の携帯電話のメールアドレス又は自宅にあるメールを受信可能なＦＡＸのアドレスへ送信することが望ましい。更に利用者の勤務先が利用者の健康を管理する場合には、出力部１５０は上述のデータを勤務先の所定のメールアドレス又は勤務先にあるメールを受信可能なＦＡＸのアドレスへ送信することが望ましい。出力部１５０は、アルコール濃度低下予測時刻決定部１４０からアルコール濃度、アルコール濃度低下予測時刻、及び／又は測定時刻を受信する度にこれらを出力してよい。また、後述する記録部１６０からアルコール濃度、アルコール濃度低下予測時刻、及び／又は測定時刻の複数のセットを受信しそれらを所定の時刻に出力してもよい。例えば利用者が運転手のような職業に就いている場合、翌朝の出勤前の予め設定された所定の時刻になるとアルコール濃度、アルコール濃度低下予測時刻、及び／又は測定時刻の複数のセットが勤務先へ送信され、当該勤務先の管理部門等は利用者の過去のアルコール濃度記録を踏まえた上で車の運行判定を行うことができる。或いは利用者が医師により定期的にアルコール濃度を監視される必要がある場合、アルコール濃度、アルコール濃度低下予測時刻、及び／又は測定時刻の複数のセットが毎日又は毎週、決められた時刻に医療機関のメールアドレスへ送信され、医師は利用者の過去のアルコール濃度記録に基づき利用者に助言を行うことができる。
【００２０】
記録部１６０は、アルコール濃度低下予測時刻決定部１４０から受信したアルコール濃度及びアルコール濃度低下予測時刻、若しくはこれらの両方、又はこれらに加えて測定時刻を記録する。記録部１６０は、アルコール濃度低下予測時刻決定部１４０からデータを受信する度にそれらを図６に示すアルコール濃度テーブルに追記していく。図６に示した例では、１回目の測定の後に測定時刻＃１、アルコール濃度＃１、アルコール濃度低下予測時刻＃１が、２回目の測定の後に測定時刻＃２、アルコール濃度＃２、アルコール濃度低下予測時刻＃２が記録され、ｎ回目の測定による値までが記録されている。これら複数回の測定によるデータの複数のセットは、必要に応じて出力部１５０へ送信される。
【００２１】
図３は、実施例１による利用者の状態を監視するためのフローチャートである。段階Ｓ１００で処理が開始される。段階Ｓ１０２で、ＲＦＩＤ検出部１１２は上述のようにＲＦＩＤタグが近くに存在すると認識し、当該ＲＦＩＤタグのＲＦＩＤコードがアルコール飲料に付されたものか否かを判定する。段階Ｓ１０４で、ＲＦＩＤ検出部１１２はアルコール飲料に付されたＲＦＩＤタグを監視し続け、アルコール飲料に付されたＲＦＩＤタグが検出されなくなると疑似着信動作部１３０へ疑似着信動作指示を送信する。段階Ｓ１０６で、疑似着信動作部１３０は疑似着信動作指示に応じて上述のように疑似着信動作を起動する。利用者の状態を監視し続けるため、処理は再び段階Ｓ１０２へ戻りＲＦＩＤタグを監視する。
【００２２】
一方で、処理は接続記号Ａへ分岐する。図４は、実施例１による利用者の健康状態を記録するためのフローチャートである。段階Ｓ１１０で、携帯電話端末１００は利用者が疑似着信動作に応答するのを待つ。上述のように当該応答は音声による応答又はアルコール濃度測定部１２０に触れることであってよい。段階Ｓ１１２で、アルコール濃度測定部１２０は利用者の呼気又は汗中のアルコール濃度を測定し、必要に応じて血中アルコール濃度に換算し、測定された若しくは換算されたアルコール濃度、及び測定時刻をアルコール濃度低下予測時刻決定部１４０へ送信する。段階Ｓ１１４で、アルコール濃度低下予測時刻決定部１４０は、受信したアルコール濃度及び測定時刻に基づき上述のように当該アルコール濃度が所定値まで低下するアルコール濃度低下予測時刻を決定する。段階Ｓ１１４で、アルコール濃度低下予測時刻決定部１４０は、受信したアルコール濃度及び測定時刻、並びに決定したアルコール濃度低下予測時刻のうちの全て又は一部を出力部１５０及び記録部１６０へ送信する。段階Ｓ１１６で、上述のように出力部１５０は受信したアルコール濃度、測定時刻、及びアルコール濃度低下予測時刻のうちの全て又は一部を表示するか、所定の宛先へメールで通知するか、又はこれらの両方を行う。段階Ｓ１１８で、上述のように記録部１６０はアルコール濃度低下予測時刻決定部１４０から受信したアルコール濃度及びアルコール濃度低下予測時刻、若しくはこれらの両方、又はこれらに加えて測定時刻を記録する。段階Ｓ１１６と段階Ｓ１１８は順序が逆であってもよい。この場合、段階Ｓ１１６で、上述のように出力部１５０は記録部１６０から受信した複数の測定に渡り記録されたデータの複数のセットを纏めて出力してよい。段階Ｓ１１６は省略されてもよい。
【００２３】
図５は、実施例１による利用者の健康状態を通知するためのフローチャートである。段階１２０で、予め設定された通知時刻になったか否かが判断される。通知時刻になると、段階１２２で、出力部１５０は記録部１６０のアルコール濃度テーブルに記録されたデータの１又は複数のセットを纏めて所定の宛先へ送信してよい。段階Ｓ１２０、Ｓ１２２は省略されてもよい。
【００２４】
［実施例２］
実施例２は、図１の周囲の騒音及び利用者の歩数を検出することにより（２０）利用者がアルコールを摂取し続けている状態を自動的に検出する場合である。本発明の実施例２に用いられる携帯電話端末１００のブロック図は図７に示される。携帯電話端末１００は、周囲の騒音レベルを検出するマイク１１４、利用者の歩数を計数する歩数センサー１１６、マイク１１４及び歩数センサー１１６の出力に基づき、所定時間より長い間、騒音レベルが所定値より高く且つ歩数の増加速度が所定値より小さい場合、疑似着信動作を起動する疑似着信動作部１３０、疑似着信動作に応答した利用者の呼気又は汗から呼気中又は血中に含まれるアルコール濃度を測定するアルコール濃度測定部１２０、測定されたアルコール濃度が所定値まで低下する予測時刻を決定するアルコール濃度低下予測時刻決定部１４０、アルコール濃度低下予測時刻を出力する出力部１５０、を有する。携帯電話端末１００は、アルコール濃度、アルコール濃度低下予測時刻、及び測定時刻を記録する記録部１６０、を更に有してもよい。
【００２５】
マイク１１４は、周囲の騒音レベルを検出し疑似着信動作部１３０へ送信する。
【００２６】
歩数センサー１１６は、利用者の歩数を計数し疑似着信動作部１３０へ送信する。
【００２７】
疑似着信動作部１３０は、マイク１１４及び歩数センサー１１６の出力に基づき、所定時間より長い間、騒音レベルが所定値より高く且つ歩数の増加速度が所定値より小さい場合、疑似着信動作を起動する。例えば、利用者が居酒屋等に入ったためにマイク１１４が６０ｄＢ又は７０ｄＢのような所定値より高い騒音レベルを検出し始め、利用者が居酒屋に滞在しているために６０分のような所定の時間より長く当該騒音レベルを検出し続け、利用者が移動しなくなったために歩数センサー１１６が計数する歩数が毎秒５歩以下のような所定値より増加速度が小さくなったときに、疑似着信動作部１３０は疑似着信動作を起動する。代案として、疑似着信動作指示の送信は所定値より高い騒音レベルが一定時間より長く検出され続けた後、一定時間毎に周期的に行われてもよい。その他にも疑似着信動作指示を送信する種々の条件が考えられるだろう。疑似着信動作及びそれに対する利用者の応答については実施例１の場合と同様なので、ここでは説明を省略する。
【００２８】
アルコール濃度低下予測時刻決定部１４０、出力部１５０、記録部１６０の動作は実施例１の場合と同様なので、ここでは説明を省略する。
【００２９】
また、実施例２は実施例１と組み合わされて実施されてもよい。
【００３０】
図８は実施例２による利用者の状態を監視するためのフローチャートである。段階Ｓ２００で処理が開始される。段階Ｓ２０２で、上述のようにマイク１１４は周囲の騒音レベルを検出し疑似着信動作部１３０へ送信し、歩数センサー１１６は利用者の歩数を計数し疑似着信動作部１３０へ送信する。段階Ｓ２０４で、上述のように疑似着信動作部１３０は騒音レベルが所定値より高く且つ歩数の増加速度が所定値より小さいか否かを監視する。段階Ｓ２０４で条件が満たされた場合、段階Ｓ２０６で、疑似着信動作部１３０は疑似着信動作を起動する。利用者の状態を監視し続けるため、処理は再び段階Ｓ２０２へ戻り騒音レベルの検出及び歩数の計数を続ける。
【００３１】
一方で、処理は接続記号Ａへ分岐する。後の処理は図４及び図５を参照して説明された実施例１の場合と同様なので、ここでは説明を省略する。
【００３２】
［実施例３］
実施例３は、図１の携帯電話端末に記憶されたスケジュール帳の内容により（４０）利用者がアルコールを摂取し続けている状態を自動的に検出する場合である。本発明の実施例１に用いられる携帯電話端末１００のブロック図は図２又は図７と同様であるが、ＲＦＩＤ検出部１１２、マイク１１４、歩数センサー１１６のうちの全て若しくは一部を有するか、又はそれらのうちの全ての若しくは一部が省略されてもよい。携帯電話端末１００は従来知られたスケジュール帳機能を有する。
【００３３】
利用者はアルコールを摂取する機会がある場合、携帯電話端末１００の従来知られたスケジュール帳機能を用い、「忘年会」、「新年会」、「歓迎会」、「飲み会」などの単語又はビール等を表す絵文字、日時、場所等を登録することが多い。スケジュール帳機能を実行するスケジュール帳機能部（図示されない）は、登録されたスケジュールを検索し、上述のようなアルコールを摂取する機会に関連する文字が登録されたスケジュールの時刻になると、疑似着信動作部１３０へ疑似着信動作指示を送信する。
【００３４】
疑似着信動作部１３０は、疑似着信動作指示を受信すると疑似着信動作を起動する。代案として、疑似着信動作部１３０は最初に疑似着信動作指示を受信した後、一定時間毎に周期的に、若しくは種々の時間間隔で複数回に渡り疑似着信動作を起動してよい。疑似着信動作及びそれに対する利用者の応答については実施例１の場合と同様なので、ここでは説明を省略する。別の代案として、実施例３は実施例１又は実施例２又は両方と組み合わされてよい。この場合、携帯電話端末１００はＲＦＩＤ検出部１１２、マイク１１４、歩数センサー１１６のうちの全て若しくは一部を有し、疑似着信動作部１３０はＲＦＩＤ検出部１１２、マイク１１４、歩数センサー１１６のうちの全て若しくは一部からの出力とスケジュール帳機能部からの出力とに基づき疑似着信動作を起動してよい。これにより、利用者がアルコールを摂取する機会を一層高精度に検出することができる。
【００３５】
アルコール濃度測定部１２０、アルコール濃度低下予測時刻決定部１４０、出力部１５０、記録部１６０の動作は実施例１の場合と同様なので、ここでは説明を省略する。
【００３６】
以上の実施例１〜３を含む実施形態に監視、更に以下の付記を開示する。
（付記１）
携帯電話端末であって、
アルコール飲料の容器に添付されたＲＦＩＤタグを検出するＲＦＩＤ検出部と、
前記ＲＦＩＤ検出部の出力に応じて、疑似着信動作を起動する疑似着信動作部と、
前記疑似着信動作に応答した利用者の呼気又は汗からアルコール濃度を測定するアルコール濃度測定部と、
前記アルコール濃度が所定値まで低下する予測時刻を決定するアルコール濃度低下予測時刻決定部と、
前記アルコール濃度低下予測時刻を出力する出力部と、を有する携帯電話端末。
（付記２）
前記アルコール濃度、前記アルコール濃度低下予測時刻、及び測定時刻を記録する記録部、を更に有する付記１記載の携帯電話端末。
（付記３）
ＲＦＩＤ検出部と疑似着信動作部とアルコール濃度測定部とを有する携帯電話端末の動作方法であって、
前記ＲＦＩＤ検出部が、アルコール飲料の容器に添付されたＲＦＩＤタグを検出する段階と、
前記疑似着信動作部が、前記ＲＦＩＤ検出部の出力に応じて、疑似着信動作を起動する段階と、
前記アルコール濃度測定部が、前記疑似着信動作に応答した利用者の呼気又は汗からアルコール濃度を測定する段階と、を有し、
前記アルコール濃度が所定値まで低下するアルコール濃度低下予測時刻を決定及び出力することを特徴とする、方法。
（付記４）
携帯電話端末であって、
周囲の騒音レベルを検出するマイクと、
利用者の歩数を計数する歩数センサーと、
前記マイク及び前記歩数センサーの出力に基づき、所定時間より長い間、前記騒音レベルが所定値より高く且つ前記歩数の増加速度が所定値より小さい場合、疑似着信動作を起動する疑似着信動作部と、
前記疑似着信動作に応答した利用者の呼気又は汗からアルコール濃度を測定するアルコール濃度測定部と、
前記アルコール濃度が所定値まで低下する予測時刻を決定するアルコール濃度低下時刻決定部と、
前記アルコール濃度低下予測時刻を出力する出力部と、を有する携帯電話端末。
（付記５）
マイクと歩数センサーと疑似着信動作部とアルコール濃度測定部とを有する携帯電話端末の動作方法であって、
前記マイクが、周囲の騒音レベルを検出する段階と、
前記歩数センサーが、利用者の歩数を計数する段階と、
前記疑似着信動作部が、前記マイク及び前記歩数センサーの出力に基づき、所定時間より長い間、前記騒音レベルが所定値より高く且つ前記歩数の増加速度が所定値より小さい場合、疑似着信動作を起動する段階と、
前記アルコール濃度測定部が、前記疑似着信動作に応答した利用者の呼気又は汗からアルコール濃度を測定する段階と、を有し、
前記アルコール濃度が所定値まで低下するアルコール濃度低下予測時刻を決定及び出力することを特徴とする、方法。
（付記６）
付記３又は５に記載の方法を携帯電話端末に内蔵されたコンピューターに実行させるプログラム。
【図面の簡単な説明】
【００３７】
【図１】本発明が実施される場合を説明する概略図である。
【図２】本発明の第１の実施例に用いられる携帯電話端末のブロック図である。
【図３】本発明の第１の実施例の利用者の状態を監視するためのフローチャートである。
【図４】本発明による利用者の健康状態を記録するためのフローチャートである。
【図５】本発明による利用者の健康状態を通知するためのフローチャートである。
【図６】本発明による利用者の健康状態を記録するためのテーブルである。
【図７】本発明の第２の実施例に用いられる携帯電話端末のブロック図である。
【図８】本発明の第２の実施例の利用者の状態を監視するためのフローチャートである。
【符号の説明】
【００３８】
１０  ＲＦＩＤタグを検出する場合（実施例１）
２０  周囲の騒音及び利用者の歩数を検出する場合（実施例２）
３０  携帯電話端末に記憶されたスケジュール帳を用いる場合（実施例３）
５０  トーキ
６０  ネットワーク
７０  自宅
８０  勤務先
１００  携帯電話端末
１１２  ＲＦＩＤ検出部
１１４  マイク
１１６  歩数センサー
１２０  アルコール濃度測定部
１３０  疑似着信動作部
１４０  アルコール濃度低下予測時刻決定部
１５０  出力部
１６０  記録部
１７０  ＣＰＵ
１８０  メモリー
【図１】
2010074550.tif 000003
【図２】
2010074550.tif 000004
【図３】
2010074550.tif 000005
【図４】
2010074550.tif 000006
【図５】
2010074550.tif 000007
【図６】
2010074550.tif 000008
【図７】
2010074550.tif 000009
【図８】
2010074550.tif 000010